(57)【要約】      （修正有）【課題】基板が湾曲している表示パネルであって、混色の問題、及び、混色の問題を解決できる表示パネル、及び該表示パネルを備える表示パネル装置を提供する。【解決手段】マトリクス状に配設されたカラーフィルタ２３Ｒ，Ｇ，Ｂ及びカラーフィルタ２３Ｒ，Ｇ，Ｂの間に介在するＢＭ２４を有するＣＦ基板２とＣＦ基板２に対して対向配置されたアクティブマトリクス基板４とを備える液晶パネルが湾曲しているパネルモジュールにおいて、ＣＦ基板２が径方向Ｄ１にてアクティブマトリクス基板４より外側に配置され、ＢＭ２４は、円周方向Ｄ２にて中央側の一端２４１の間が等間隔であり、一端２４１から、円周方向Ｄ２にて一端２４１と反対側の他端２４２までの寸法が、円周方向Ｄ２におけるＣＦ基板２の中央部を除く剰余部にて該中央部より大きいように構成する。【選択図】図２Ａ
2020021029.tif 000002
【特許請求の範囲】
【請求項１】
第１方向および前記第１方向とは異なる第２方向に配列された複数の画素を含む表示領域を有する表示パネルであって、
互いに対向する第１基板および第２基板を有し、前記第１基板および前記第２基板は、前記第１方向に湾曲しており、
前記第１基板は、それぞれが、前記複数の画素のそれぞれに対応して設けられた複数のカラーフィルタと、前記第１方向に隣接するカラーフィルタの間に配置された複数の遮光部を有するブラックマトリクスとを含むカラーフィルタ層を有し、
前記第２基板は、それぞれが、前記複数の画素を規定する複数の画素電極を有し、
前記表示領域は、前記表示領域の前記第１方向における中央を含む中央部と、前記中央部の前記第１方向の両側に、前記中央部に隣接して位置する第１端部および第２端部とを含み、
前記複数の画素は、前記中央部に含まれる複数の中央画素と、前記第１端部または前記第２端部に含まれる複数の端部画素とを含み、
前記複数の遮光部は、前記中央部に含まれる複数の中央遮光部と、前記第１端部または前記第２端部に含まれる複数の端部遮光部とを含み、
前記複数の端部遮光部の前記第１方向における幅は、前記複数の中央遮光部の前記第１方向における幅よりも大きい、表示パネル。
【請求項２】
前記第１端部は、前記中央部側に位置する第１領域と、前記中央部と反対側に位置する第２領域とを含み、
前記第２端部は、前記中央部側に位置する第３領域と、前記中央部と反対側に位置する第４領域とを含み、
前記複数の端部遮光部は、前記第１領域に含まれる複数の第１端部遮光部と、前記第２領域に含まれる複数の第２端部遮光部と、前記第３領域に含まれる複数の第３端部遮光部と、前記第４領域に含まれる複数の第４端部遮光部とを含み、
前記複数の第２端部遮光部の前記第１方向における幅は、前記複数の第１端部遮光部の前記第１方向における幅よりも大きく、前記複数の第４端部遮光部の前記第１方向における幅は、前記複数の第３端部遮光部の前記第１方向における幅よりも大きい、請求項１に記載の表示パネル。
【請求項３】
前記第１基板および前記第２基板は、前記第１基板側に凸となるように湾曲しており、
前記複数の端部画素に含まれるある端部画素に対して、前記中央部よりに配置された第１遮光部の前記第１方向における中心Ｂ１と、前記中央部とは反対よりに配置された第２遮光部の前記第１方向における中心Ｂ２と、前記ある端部画素の前記第１方向における中心Ｏとは、前記中心Ｏと前記中心Ｂ１との前記第１方向における距離が、前記中心Ｏと前記中心Ｂ２との前記第１方向における距離よりも大きいように配置されている、請求項１または２に記載の表示パネル。
【請求項４】
前記第１基板および前記第２基板は、前記第２基板側に凸となるように湾曲しており、
前記複数の端部画素に含まれるある端部画素に対して、前記中央部よりに配置された第１遮光部の前記第１方向における中心Ｂ１と、前記中央部とは反対よりに配置された第２遮光部の前記第１方向における中心Ｂ２と、前記ある端部画素の前記第１方向における中心Ｏとは、前記中心Ｏと前記中心Ｂ１との前記第１方向における距離が、前記中心Ｏと前記中心Ｂ２との前記第１方向における距離よりも小さいように配置されている、請求項１または２に記載の表示パネル。
【請求項５】
請求項１から４のいずれかに記載の表示パネルと、前記表示パネルに向けて光を出射する複数の光源を有するバックライト装置とを有し、
前記複数の光源は、前記複数の端部画素に出射される光の輝度を、前記複数の中央画素に出射される光の輝度よりも高くすることができる、表示パネル装置。
【請求項６】
請求項２に記載の表示パネルと、前記表示パネルに向けて光を出射する複数の光源を有するバックライト装置とを有し、
前記複数の光源は、前記複数の端部画素に出射される光の輝度を、前記複数の中央画素に出射される光の輝度よりも高くすることができ、
前記複数の光源は、前記第２領域に含まれる画素に出射される光の輝度を、前記第１領域に含まれる画素に出射される光の輝度よりも高くすることができ、前記第４領域に含まれる画素に出射される光の輝度を、前記第３領域に含まれる画素に出射される光の輝度よりも高くすることができる、表示パネル装置。
【発明の詳細な説明】
【技術分野】
【０００１】
本発明は、マトリックス状に配設されたカラーフィルタ及び該カラーフィルタの間に介在する遮光部を有する基板を備えた、湾曲している表示パネル、および表示パネルを有する表示パネル装置に関する。
【背景技術】
【０００２】
近年、互いに対向する一対の基板を備え、該一対の基板を湾曲させることにより湾曲した表示面を形成した、いわゆる曲面ディスプレイが普及し始めている。
【０００３】
しかし、このような曲面ディスプレイにおいては、一の基板と他の基板とを湾曲させた状態にて互いに対向させているので、液晶が注入される間隔および厚みを有する基板の存在による曲率半径の相違が生じる。このような曲率半径の相違によって、径方向から見た場合における一の基板の画素電極と他の基板のカラーフィルタとの位置が、例えば、湾曲面の周方向（円周方向）における中央部では一致するものの、円周方向の両端付近では一致せずずれてしまう問題が生じる。
【０００４】
このような問題に対して、例えば、特許文献１においては、湾曲の内側となる基板における画素領域の湾曲方向ピッチを、湾曲の外側となる基板における画素領域の湾曲方向ピッチよりも、少なくとも部分的に小さくすることにより、各基板における画素領域の湾曲方向ピッチを同一にした場合と比して各基板間での画素領域のずれを小さくした表示パネルが開示されている。
【先行技術文献】
【特許文献】
【０００５】
【特許文献１】特開２００７−３３３８１８号公報
【発明の概要】
【発明が解決しようとする課題】
【０００６】
一方、上述したようなずれが発生した場合は、画素電極に係る画素領域を通過した光が隣り合う２つのカラーフィルタに跨って入射することがあり得る。この結果、希望するＲ，Ｇ，Ｂ等の何れかの単色でなく、隣のカラーフィルタの色が混じった色が表示される問題が生じる。
【０００７】
また、このような問題に対して、特許文献１の表示パネルにおいては、画素領域のずれを小さくすることはできるものの、ずれに起因する混色の発生を十分に防止することはできない。また、特許文献１の表示パネルにおいては、斯かる発明の適用のために予め画素領域のずれ量を予測しておく必要があるので、予測外のずれには対応できない。
【０００８】
本発明は、斯かる事情に鑑みてなされたものであり、その目的とするところは、マトリクス状に配設されたカラーフィルタ及び該カラーフィルタの間に介在する遮光部を有する基板が湾曲している表示パネルおよびそのような表示パネルを備える表示パネル装置において、上述した混色の問題を解決でき、かつ、斯かる混色の問題の解決という効果が安定的に得られる表示パネルおよび表示パネル装置を提供することにある。
【課題を解決するための手段】
【０００９】
本実施例に係る表示パネル装置は、マトリクス状に配設されたカラーフィルタ及び該カラーフィルタの間に介在する遮光部を有する第１基板と、該第１基板に対して対向配置さ
れた第２基板とを備える表示パネルが湾曲している表示パネル装置において、前記第１基板は径方向にて前記第２基板より外側に配置されており、前記遮光部は、円周方向にて中央側の一端間の間隔が一定であり、前記一端から、円周方向にて該一端と反対側の他端までの寸法が、円周方向における前記第１基板の中央部を除く剰余部にて該中央部より大きいことを特徴とする。
【００１０】
本実施例に係る表示パネル装置は、マトリクス状に配設されたカラーフィルタ及び該カラーフィルタの間に介在する遮光部を有する第１基板と、該第１基板に対して対向配置された第２基板とを備える表示パネルが湾曲している表示パネル装置において、前記第１基板は径方向にて前記第２基板の内側に配置されており、前記遮光部は、円周方向にて端部側の一端間の間隔が一定であり、前記一端から、円周方向にて該一端と反対側の他端までの寸法が、円周方向における前記第１基板の中央部を除く剰余部にて該中央部より大きいことを特徴とする。
【発明の効果】
【００１１】
本実施例によれば、基板が湾曲している表示パネルおよびそのような表示パネルを備える表示パネル装置において、上述した混色の問題を解決できる。また、混色の問題の解決という効果が安定的に得られる。
【図面の簡単な説明】
【００１２】
【図１】実施の形態１に係るパネルモジュールの要部構成を概略的に示す図である。
【図２Ａ】図１の液晶パネルの図示左側の破線円Ａに該当する部分の拡大図である。
【図２Ｂ】図１の液晶パネルの図示中央部の破線円Ｂに該当する部分の拡大図である。
【図２Ｃ】図１の液晶パネルの図示右側の破線円Ｃに該当する部分の拡大図である。
【図３Ａ】図１の液晶パネルの図示左側の破線円Ａに該当する部分の拡大図である。
【図３Ｂ】図１の液晶パネルの図示左側の破線円Ｄに該当する部分の拡大図である。
【図３Ｃ】図１の液晶パネルの図示中央部の破線円Ｂに該当する部分の拡大図である。
【図４Ａ】図１の液晶パネルの図示左側の破線円Ａに該当する部分の拡大図である。
【図４Ｂ】図１の液晶パネルの図示左側の破線円Ｄに該当する部分の拡大図である。
【図４Ｃ】図１の液晶パネルの図示中央部の破線円Ｂに該当する部分の拡大図である。
【図５】実施の形態３に係るパネルモジュールの液晶パネルの要部構成を概略的に示す図である。
【図６Ａ】図５において図示左側の端部を拡大して表示した拡大図である。
【図６Ｂ】図５において円周方向中央部を拡大して表示した拡大図である。
【図６Ｃ】図５において図示右側の端部を拡大して表示した拡大図である。
【図７Ａ】図５において図示左側の端部を拡大して表示した拡大図である。
【図７Ｂ】図５において、円周方向における図示左側の端部と中央との中間部を拡大して表示した拡大図である。
【図７Ｃ】図５において円周方向の中央部を拡大して表示した拡大図である。
【図８】実施の形態４に係るパネルモジュールの液晶パネルの光源から出射される光の輝度を示す図である。
【図９】実施の形態５に係るパネルモジュールの液晶パネルの光源から出射される光の輝度を示す図である。
【発明を実施するための形態】
【００１３】
以下に、本発明の実施の形態に係る表示パネル装置について、いわゆる液晶パネル及び光源を有するパネルモジュールを用いて図面に基づいて詳述する。
【００１４】
（実施の形態１）
図１は実施の形態１に係るパネルモジュール１００の要部構成を概略的に示す図である。パネルモジュール１００は、液晶パネル１と、液晶パネル１に光を出射する光源５とを備えている。
【００１５】
液晶パネル１は、第１方向および第１方向とは異なる第２方向に配列された複数の画素を含む表示領域を有する。液晶パネル１は、互いに対向するＣＦ基板（第１基板）２およびアクティブマトリクス基板（第２基板）４を有する。ＣＦ基板２およびアクティブマトリクス基板４は、第１方向に湾曲している。ここでは、ＣＦ基板２およびアクティブマトリクス基板４は、ＣＦ基板２側に凸となるように湾曲している。ＣＦ基板２は、それぞれが、複数の画素のそれぞれに対応して設けられた複数のカラーフィルタ２３と、第１方向に隣接するカラーフィルタ２３の間に配置された複数の遮光部を有するブラックマトリクス２４とを含むカラーフィルタ層２２を有する。アクティブマトリクス基板４は、それぞれが、複数の画素を規定する複数の画素電極４４を有する。表示領域は、表示領域の第１方向における中央を含む中央部Ｃと、中央部Ｃの第１方向の両側に、中央部Ｃに隣接して位置する第１端部（剰余部）Ｌおよび第２端部（剰余部）Ｒとを含む。複数の画素は、中央部Ｃに含まれる複数の中央画素と、第１端部Ｌまたは第２端部Ｒに含まれる複数の端部画素とを含む。複数の遮光部は、中央部Ｃに含まれる複数の中央遮光部と、第１端部Ｌまたは前記第２端部Ｒに含まれる複数の端部遮光部とを含む。複数の端部遮光部の第１方向における幅は、複数の中央遮光部の第１方向における幅よりも大きい。
【００１６】
ここでは、複数の端部画素に含まれるある端部画素に対して、中央部よりに配置された第１遮光部の第１方向における中心Ｂ１と、中央部とは反対よりに配置された第２遮光部の第１方向における中心Ｂ２と、ある端部画素の第１方向における中心Ｏとは、中心Ｏと中心Ｂ１との第１方向における距離が、中心Ｏと中心Ｂ２との第１方向における距離よりも大きいように配置されている。
【００１７】
液晶パネル１は、アクティブマトリクス基板４と、アクティブマトリクス基板４に対して対向配置されたＣＦ（カラーフィルタ）基板２とを備えている。アクティブマトリクス基板４及びＣＦ基板２の間には液晶層３が介在している。
【００１８】
液晶パネル１は矩形であり、例えば、ＣＦ基板２側に凸となるように（液晶パネル１の凸面の外側にＣＦ基板２が配置され、凸面の内側にアクティブマトリクス基板４が配置されるように）所定の曲率で湾曲している。詳しくは、アクティブマトリクス基板４及びＣＦ基板２は同様の曲率にて湾曲している。液晶パネル１は、径方向Ｄ１において、内側にアクティブマトリクス基板４が配置され、外側にＣＦ基板２が配置されている。
【００１９】
光源５はいわゆる直下型であり、一面が開放された扁平な直方体形状の筐体である。光源５は底面に複数のＬＥＤ５１，５１，…５１が設けられており、前記底面と対向する開放口を介して、ＬＥＤ５１，５１，…５１からの光が液晶パネル１に出射される。また、光源５は液晶パネル１と同様の曲率にて、前記底面が凹となるように湾曲している。換言すれば、パネルモジュール１００では、径方向Ｄ１において、最も内側に光源５が設けられている。従って、光源５からの光は、アクティブマトリクス基板４に対して略垂直方向に入る。なお、光源５は直下型に限るものでなく、いわゆるエッジ型であっても良い。
【００２０】
ＣＦ基板２は、ガラス基板２１と、ガラス基板２１においてアクティブマトリクス基板４側の内面に設けられたカラーフィルタ層２２とを有している。径方向Ｄ１において、外側にガラス基板２１が配置され、内側にカラーフィルタ層２２が配置されている。換言すれば、ＣＦ基板２はガラス基板２１側に凸となるように湾曲している。
【００２１】
ガラス基板２１は透明な矩形の板状をなしている。ガラス基板２１の前記内面には、後述するＲ画素のカラーフィルタ２３Ｒと、Ｇ画素のカラーフィルタ２３Ｇと、Ｂ画素のカラーフィルタ２３Ｂがマトリクス状に設けられている。以下、説明の便宜上、カラーフィルタ２３Ｒ、カラーフィルタ２３Ｇ及びカラーフィルタ２３Ｂをカラーフィルタ２３とも言う。
【００２２】
詳しくは、ガラス基板２１の長手方向（第１方向）に沿って、カラーフィルタ２３Ｒ、カラーフィルタ２３Ｇ、カラーフィルタ２３Ｂがこの順に繰り返して配置されている。すなわち、ガラス基板２１（液晶パネル１）はその長手方向（第１方向）に沿って湾曲しているので、液晶パネル１の湾曲面の周方向（例えば円周方向）Ｄ２にて、カラーフィルタ２３Ｒ、カラーフィルタ２３Ｇ、カラーフィルタ２３Ｂがこの順に繰り返して配置されている。カラーフィルタ２３Ｒ、カラーフィルタ２３Ｇおよびカラーフィルタ２３Ｂは、例えば、第２方向に沿って延びるストライプ状である。
【００２３】
ガラス基板２１の前記内面には、ブラックマトリクス（以下、ＢＭと言う。）２４が格子状に設けられている。すなわち、ガラス基板２１の前記内面には、ガラス基板２１の長手方向及び短手方向にて、カラーフィルタ２３Ｒ、カラーフィルタ２３Ｇ、カラーフィルタ２３Ｂの各々の間にＢＭ（遮光部）２４が設けられている。また、カラーフィルタ２３と液晶層３との間には透明電極（図示せず）が配置されている。すなわち、ＣＦ基板２は、画素電極に対向する対向電極を有する。対向電極は、すべての画素に共通に設けられるので、共通電極と呼ばれることもある。なお、表示モードによっては、共通電極がＣＦ基板２ではなくアクティブマトリクス基板４に設けられることもある。
【００２４】
アクティブマトリクス基板４は、ガラス基板４１と、ガラス基板４１においてＣＦ基板２側の内面に設けられた電極層４２とを有している。径方向Ｄ１において、外側に電極層４２が配置され、内側にガラス基板４１が配置されている。換言すれば、アクティブマトリクス基板４は電極層４２側に凸となるように湾曲している。
【００２５】
ガラス基板４１は透明な矩形の板状をなしており、ガラス基板４１の前記内面には、電極層４２が形成されている。電極層４２においては、配線４３（信号線及び走査線）が格子状に形成されている。詳しくは、電極層４２においては、複数の信号線（図示せず）と走査線（図示せず）が互いに交差して配置されており、前記信号線と前記走査線に囲まれた領域に重なるように画素電極４４が設けられている。すなわち、配線４３は格子状に形成されており、画素電極４４はマトリクス状に配置されている。
【００２６】
前記走査線には、走査駆動回路から線順次方式で走査信号が供給され、前記信号線には、画素電極４４の各々に供給すべき表示信号が信号駆動回路から供給される。各画素電極４４に前記信号線から供給された信号に基づいて、画素電極４４とＣＦ基板２の透明電極（共通電極）との間の液晶層３に電圧が印加されることによって、その画素が呈すべき輝度（階調）が実現される。
【００２７】
例えば、ノーマリブラックモードにおいては、画素電極４４とＣＦ基板２の透明電極（共通電極）との間に電圧が印加されていない場合に最低階調（黒表示）を呈し、画素電極４４とＣＦ基板２の透明電極との間に最大電圧が印加された場合に最高階調（白表示）を呈する。なお、本実施形態の液晶パネルは、ノーマリホワイトモードを採用してももちろんよい。
【００２８】
以上のような、ＣＦ基板２及びアクティブマトリクス基板４を平面状態にて対向させた場合は、すなわち、湾曲されていない場合は、対向の方向から見てＣＦ基板２の各カラー
フィルタ２３の位置とアクティブマトリクス基板４における画素電極４４の位置とが略一致する状態になる。また、このような状態は、液晶パネルの全体において一様である。
【００２９】
しかし、ＣＦ基板２及びアクティブマトリクス基板４を湾曲させて互いに対向させた場合には、基板の厚さおよび液晶層３の厚さ（液晶が注入される間隔）の存在による曲率半径の相違が生じる。このような曲率半径の相違によって、前記対向方向から見た場合の画素電極４４とカラーフィルタ２３との位置が、例えば、円周方向Ｄ２における液晶パネル１の中央部では一致するものの、液晶パネル１の両端付近では一致せずずれてしまう問題が生じる。
【００３０】
図２Ａ〜図２Ｃは、図１における３つの破線円に該当する部分を拡大して表示した拡大図である。図２Ａは、図１の液晶パネル１の図示左側の破線円Ａに該当する部分の拡大図であり、図２Ｂは、図１の液晶パネル１の図示中央部の破線円Ｂに該当する部分の拡大図であり、図２Ｃは、図１の液晶パネル１の図示右側の破線円Ｃに該当する部分の拡大図である。
【００３１】
以下では、液晶パネル１（ＣＦ基板２、アクティブマトリクス基板４）にて、円周方向Ｄ２における中央部を除く部分を剰余部とも言う。ここで、円周方向Ｄ２における液晶パネル１（ＣＦ基板２、アクティブマトリクス基板４）の中央部とは、例えば、液晶パネル１を円周方向Ｄ２に３つの部分に等分した場合、円周方向Ｄ２における中心部分である。すなわち、図１において、液晶パネル１（ＣＦ基板２、アクティブマトリクス基板４）の中央部はＣであり（以下、中央部Ｃと言う。）、中央部Ｃに対して図示左側のＬ部分と図示右側のＲ部分と合わせた部分が剰余部である（以下、剰余部ＬＲと言う。）。
【００３２】
また、以下においては、ＣＦ基板２のカラーフィルタ層２２において、各々のカラーフィルタ２３によって占められた領域を含むＢＭ２４によって囲まれた領域をカラーフィルタ領域Ｚ１と言う。例えば、円周方向Ｄ２において、カラーフィルタ領域Ｚ１は後述する点Ｐ間の間隔に該当する。また、電極層４２において、配線４３（信号線及び走査線）によって画定される、画素電極４４を含む領域を画素電極領域Ｚ２と言う。例えば、円周方向Ｄ２おいて、画素電極領域Ｚ２は、配線４３の中心間の間隔に該当する。図２Ａ〜図２Ｃに基づいて、上述した問題について詳しく説明する。
【００３３】
図２Ｂに示しているように、中央部Ｃにおいては、カラーフィルタ領域Ｚ１及び画素電極領域Ｚ２が正対しており、径方向Ｄ１から見た場合、ＢＭ２４の位置と配線４３の位置とが一致している。図２Ｂにおいては、カラーフィルタ領域Ｚ１と画素電極領域Ｚ２とが一致している。
【００３４】
しかし、図２Ａ及び図２Ｃに示しているように、剰余部ＬＲにおいては、カラーフィルタ領域Ｚ１及び画素電極領域Ｚ２が正対していない。液晶パネル１において中央部Ｃに対する図示左側のＬ部分では、円周方向Ｄ２における左端に向けて画素電極領域Ｚ２がずれている（図２Ａ参照）。また、液晶パネル１において中央部Ｃに対する図示右側のＲ部分では、円周方向Ｄ２における右端に向けて画素電極領域Ｚ２がずれている（図２Ｃ参照）。
【００３５】
すなわち、一のカラーフィルタ領域Ｚ１に対向すべき画素電極領域Ｚ２が位置ずれをおこし、斯かる画素電極領域Ｚ２の一部が該一のカラーフィルタ領域Ｚ１と隣り合う他のカラーフィルタ領域Ｚ１と径方向Ｄ１において対向している。以下においては、斯かる画素電極領域Ｚ２の一部をはみ出し部と言う。
【００３６】
それにより剰余部ＬＲでは画素電極領域Ｚ２の位置ずれが発生したことに起因して混色
が生じるおそれがある。すなわち、剰余部ＬＲにおいて、画素電極領域Ｚ２の位置ずれが発生した場合は、光源５からの光が一つの画素電極領域Ｚ２を通過して隣り合う２つのカラーフィルタ領域Ｚ１に跨って入射することがあり得る。この結果、希望するＲ，Ｇ，Ｂの何れかの単色でなく、隣のカラーフィルタ２３の色が混じった色が表示されることとなる。
【００３７】
しかし、本実施の形態に係るパネルモジュール１００においては、このような混色の問題が発生することを防止できるように構成されている。以下、詳しく説明する。
【００３８】
本実施の形態に係るパネルモジュール１００では、ＣＦ基板２の中央部Ｃと剰余部ＬＲとにおいて、円周方向Ｄ２におけるＢＭ２４の幅が異なるように構成されている。詳しくは、ＣＦ基板２の剰余部ＬＲでのＢＭ２４の幅が、中央部ＣでのＢＭ２４の幅より広い。
【００３９】
ＢＭ２４は、円周方向Ｄ２において所定の間隔で設けられている。ＢＭ２４は、円周方向Ｄ２において中央側の一端２４１と反対側の他端２４２間の間隔（すなわち第１方向における遮光部の幅）は一定でない。
【００４０】
また、ＢＭ２４は、円周方向Ｄ２における一端２４１から他端２４２までの寸法Ｌが、ＣＦ基板２の中央部Ｃより、ＣＦ基板２の剰余部ＬＲの方が大きいように構成されている。
【００４１】
以下においては、説明の便宜上、液晶パネル１の中央部Ｃ、すなわち画素電極領域Ｚ２のずれが発生しない場合におけるＢＭ２４間の間隔（図２Ｂ参照）を基準間隔として、円周方向Ｄ２にて中央に対し両端側に前記基準間隔毎に点Ｐを付している。
【００４２】
図２Ａ〜図２Ｃにおいて、一点鎖線は径方向Ｄ１に沿ってＢＭ２４の一端２４１を通っている。
【００４３】
例えば、図２Ａに示す剰余部ＬＲ（図１のＬ部分）においては、円周方向Ｄ２におけるＣＦ基板２の近位端部が図示左側であり、中央側は図示右側である。従って、ＢＭ２４は図示左側が他端２４２であり、図示右側が一端２４１である。また、図２Ｃに示す剰余部ＬＲ（図１のＲ部分）においては、円周方向Ｄ２におけるＣＦ基板２の近位端部が図示右側であり、中央側は図示左側である。従って、ＢＭ２４は図示右側が他端２４２であり、図示左側が一端２４１である。更に、ＢＭ２４は、円周方向Ｄ２における一端２４１から他端２４２までの寸法Ｌが、ＣＦ基板２の中央部Ｃ（図２Ｂ）より、ＣＦ基板２の剰余部ＬＲ（図２Ａ及び図２Ｃ）の方で大きい。
【００４４】
このような構成を有することから、本実施の形態に係るパネルモジュール１００においては、剰余部ＬＲにて、上述したように画素電極領域Ｚ２の位置ずれが発生した場合であっても混色が生じない。以下、図２Ａ（剰余部ＬＲにおけるＬ部分）を用いて詳しく説明する。
【００４５】
カラーフィルタ２３Ｇのカラーフィルタ領域Ｚ１と正対すべき画素電極領域Ｚ２が径方向Ｄ１に対して図示左側に位置ずれをおこし、該画素電極領域Ｚ２の一部がカラーフィルタ２３Ｒのカラーフィルタ領域Ｚ１の一部とも対向することになる。この状態にて、アクティブマトリクス基板４に対して略垂直に入った光は、当該画素電極領域Ｚ２及び液晶層３を通過してＣＦ基板２に入る。しかし、当該画素電極領域Ｚ２がずれているので、斯かる光はカラーフィルタ２３Ｇ及びカラーフィルタ２３Ｒのカラーフィルタ領域Ｚ１に跨って入る。
【００４６】
しかし、本実施の形態に係るパネルモジュール１００では、剰余部ＬＲにおけるＢＭ２４の円周方向Ｄ２における寸法Ｌが、ＣＦ基板２の中央部Ｃより大きい。従って、画素電極領域Ｚ２の図示左側のはみ出し部Ｚ３は、円周方向Ｄ２において他端２４２を含む部分（ＢＭ２４の中央側の一端２４１から他端２４２までの部分）の位置と略一致し、径方向Ｄ１において他端２４２を含む部分と対向するようになる。その結果、光がカラーフィルタ２３Ｇ及びカラーフィルタ２３Ｒのカラーフィルタ領域Ｚ１に跨って入ったとしても、カラーフィルタ２３Ｒのカラーフィルタ領域Ｚ１に入った光はＢＭ２４の他端２４２を含む部分によって遮蔽される。すなわち、カラーフィルタ２３Ｇを有するＧ画素の表示に、カラーフィルタ２３Ｒを透過した光が含まれることはなく、混色は生じない。
【００４７】
剰余部ＬＲにおけるＲ部分については、図２Ｃを用いて詳しく説明する。
【００４８】
カラーフィルタ２３Ｇのカラーフィルタ領域Ｚ１と正対すべき画素電極領域Ｚ２が径方向Ｄ１に対して図示右側に位置ずれをおこし、該画素電極領域Ｚ２の一部がカラーフィルタ２３Ｂのカラーフィルタ領域Ｚ１の一部とも対向することになる。この状態にて、光はカラーフィルタ２３Ｇ及びカラーフィルタ２３Ｂのカラーフィルタ領域Ｚ１に跨って入る。
【００４９】
しかし、本実施の形態に係るパネルモジュール１００では、剰余部ＬＲにおけるＢＭ２４の円周方向Ｄ２における寸法Ｌが、ＣＦ基板２の中央部Ｃより大きい。従って、画素電極領域Ｚ２の図示右側のはみ出し部Ｚ３は、円周方向Ｄ２において他端２４２を含む部分（ＢＭ２４の中央側の一端２４１から他端２４２までの部分）の位置と略一致し、径方向Ｄ１において他端２４２を含む部分と対向するようになる。その結果、光がカラーフィルタ２３Ｇ及びカラーフィルタ２３Ｂのカラーフィルタ領域Ｚ１に跨って入ったとしても、カラーフィルタ２３Ｂのカラーフィルタ領域Ｚ１に入った光はＢＭ２４の他端２４２を含む部分によって遮蔽される。すなわち、カラーフィルタ２３Ｇを有するＧ画素の表示に、カラーフィルタ２３Ｂを透過した光が含まれることはなく、混色は生じない。
【００５０】
一方、図２Ｂに示しているように、中央部Ｃでは上述した画素電極領域Ｚ２の位置ずれが生じないので、はみ出し部も存在せず、円周方向Ｄ２におけるＢＭ２４の寸法Ｌが、ＣＦ基板２の剰余部ＬＲより小さいものの混色という問題は発生しない。
【００５１】
また、このように、本実施の形態に係るパネルモジュール１００においては、画素電極領域Ｚ２の位置ずれが発生しない中央部Ｃを除いて、画素電極領域Ｚ２の位置ずれが発生する剰余部ＬＲのＢＭ２４でのみ、円周方向Ｄ２における寸法Ｌが中央部Ｃより大きくなるように構成されている。従って、より効率的に混色の問題に対応することが出来る。
【００５２】
（実施の形態２）
実施の形態２に係るパネルモジュール１００の液晶パネル１においては、円周方向Ｄ２におけるＢＭ２４の寸法Ｌが、円周方向Ｄ２における液晶パネル１（ＣＦ基板２）上の位置によって異なるように構成されている。以下、詳しく説明する。
【００５３】
すなわち、本実施形態において、液晶パネル１は以下のような構成を有している。第１端部は、中央部側に位置する第１領域と、中央部と反対側に位置する第２領域とを含み、第２端部は、中央部側に位置する第３領域と、中央部と反対側に位置する第４領域とを含む。複数の端部遮光部は、第１領域に含まれる複数の第１端部遮光部と、第２領域に含まれる複数の第２端部遮光部と、第３領域に含まれる複数の第３端部遮光部と、第４領域に含まれる複数の第４端部遮光部とを含む。複数の第２端部遮光部の第１方向における幅は、複数の第１端部遮光部の第１方向における幅よりも大きく、複数の第４端部遮光部の第１方向における幅は、複数の第３端部遮光部の第１方向における幅よりも大きい。
【００５４】
図３Ａ〜図３Ｃは、実施の形態２に係るパネルモジュール１００の液晶パネル１にて、図１における３つの破線円に該当する部分を拡大して表示した拡大図である。図３Ａは、図１の液晶パネル１の図示左側の破線円Ａに該当する部分の拡大図であり、図３Ｂは、図１の液晶パネル１の図示左側の破線円Ｄに該当する部分の拡大図であり、図３Ｃは、図１の液晶パネル１の図示中央部の破線円Ｂに該当する部分の拡大図である。
【００５５】
すなわち、図３Ａ〜図３Ｃは、円周方向Ｄ２において、液晶パネル１の中央から図示左部分を示している。図３Ｃが円周方向Ｄ２における液晶パネル１の中央部を示しており、図３Ａが円周方向Ｄ２における液晶パネル１の図示左端部を示しており、図３Ｂが円周方向Ｄ２において液晶パネル１の中央部より図示左側であって、図示左端より中央側に係る部分を示している。なお、図３Ｃは液晶パネル１の中央部の中で、円周方向Ｄ２の中央より少し左側を示している。
【００５６】
図３Ａ及び図３Ｂにおいて、円周方向Ｄ２における液晶パネル１の図示左端に向けて画素電極領域Ｚ２がずれている。また、円周方向Ｄ２にて、液晶パネル１の図示左端に近い程、すなわち、中央から遠い程、画素電極領域Ｚ２がずれる量が多いことが分かる。
【００５７】
以上のことに対応して、本実施の形態に係るパネルモジュール１００の液晶パネル１では、ＣＦ基板２の中央部Ｃ及び剰余部ＬＲにて、円周方向Ｄ２におけるＢＭ２４の一端２４１から他端２４２までの寸法が、円周方向Ｄ２にて液晶パネル１（ＣＦ基板２）の中央から遠くなることにつれて大きくなるように構成されている。
【００５８】
図１に示すように、本実施の形態に係るパネルモジュール１００の液晶パネル１において破線円Ａに係る部分は、破線円Ｄ，Ｂの夫々に係る部分より、円周方向Ｄ２にて図示左側の端部に該当する。このような破線円Ａに係る部分では、円周方向Ｄ２において、ＢＭ２４の一端２４１から他端２４２までの寸法Ｌ１（図３Ａ）が、破線円Ｄ，Ｂの夫々に係るＢＭ２４の寸法Ｌ２（図３Ｂ）及びＬ３（図３Ｃ）より大きくなるように構成されている。
【００５９】
また、本実施の形態に係るパネルモジュール１００の液晶パネル１において図１の破線円Ｄに係る部分は、円周方向Ｄ２にて、破線円Ａに係る部分より中央側であって、破線円Ｂに係る部分より図示左側に該当する。このような破線円Ｄに係る部分では、円周方向Ｄ２におけるＢＭ２４の一端２４１から他端２４２までの寸法Ｌ２が、破線円Ａに係るＢＭ２４の寸法Ｌ１より狭いが、破線円Ｂに係るＢＭ２４の寸法Ｌ３より大きくなるように構成されている。
【００６０】
また、本実施の形態に係るパネルモジュール１００の液晶パネル１において図１の破線円Ｂに係る部分は、円周方向Ｄ２にて中央部に該当する。このような破線円Ｂに係る部分では、円周方向Ｄ２において、ＢＭ２４の寸法Ｌ３が、破線円Ａ，Ｄの夫々に係るＢＭ２４の寸法Ｌ１，Ｌ２より狭くなるように構成されている。
【００６１】
以上のように、液晶パネル１の図示端部に近い程、すなわち、中央から遠い程、画素電極領域Ｚ２がずれる量が多いことに対応して、本実施の形態の液晶パネル１では、円周方向Ｄ２において、液晶パネル１（ＣＦ基板２）の中央から遠くなることにつれて、ＢＭ２４の寸法が大きくなるように構成されている。
【００６２】
従って、本実施の形態に係るパネルモジュール１００の液晶パネル１においては、中央部Ｃ及び剰余部ＬＲの両方にて、上述したように画素電極領域Ｚ２の位置ずれが発生した場合であっても混色が生じない。詳細な作用及び効果については実施の形態１にて既に説
明しており、ここでは詳しい説明を省略する。
【００６３】
また、本実施の形態に係るパネルモジュール１００の液晶パネル１は、上述したような構成を有することから、ＣＦ基板２の全体におけるＢＭ２４の割合を必要最低限に抑えることができる。従って、ＣＦ基板２にてＢＭ２４が占める領域が増えることにより、液晶パネル１において表示輝度が落ちることを極力抑えることが出来る。
【００６４】
また、本実施の形態に係るパネルモジュール１００の液晶パネル１は、上述した構成に限るものでない。例えば、円周方向Ｄ２において、ＢＭ２４の幅が、液晶パネル１（ＣＦ基板２）の中央から遠くなることによって変わることなく、一定の幅であるように構成しても良い。
【００６５】
図４Ａ〜図４Ｃは、実施の形態２に係るパネルモジュール１００の液晶パネル１の変形例を説明する説明図である。図４Ａは、図１の液晶パネル１の図示左側の破線円Ａに該当する部分の拡大図であり、図４Ｂは、図１の液晶パネル１の図示左側の破線円Ｄに該当する部分の拡大図であり、図４Ｃは、図１の液晶パネル１の図示中央部の破線円Ｂに該当する部分の拡大図である。
【００６６】
図４Ａ〜図４Ｃは、円周方向Ｄ２において、液晶パネル１の中央から図示左部分を示している。図４Ｃが円周方向Ｄ２における液晶パネル１の中央部を示しており、図４Ａが円周方向Ｄ２における液晶パネル１の図示左端部を示しており、図４Ｂが円周方向Ｄ２において液晶パネル１の中央部より図示左側であって、図示左端より中央側に係る部分を示している。なお、図４Ｃは液晶パネル１の中央部の中で、円周方向Ｄ２の中央より少し左側を示している。
【００６７】
また、変形例に係るパネルモジュール１００の液晶パネル１では、円周方向Ｄ２におけるＢＭ２４の寸法が、円周方向Ｄ２にて液晶パネル１（ＣＦ基板２）の中央部Ｃ及び剰余部ＬＲの何処でも一定である。
【００６８】
液晶パネル１において（図１参照）、破線円Ｄ，Ｂの夫々に係る部分より、円周方向Ｄ２にて図示左側の端部に該当する破線円Ａに係る部分でのＢＭ２４の寸法Ｌ１と、破線円Ａに係る部分より中央側であって、破線円Ｂに係る部分より図示左側に該当する破線円Ｄに係る部分でのＢＭ２４の寸法Ｌ２と、中央部に該当する破線円Ｂに係る部分でのＢＭ２４の寸法Ｌ３は、同じである。
【００６９】
変形例に係るパネルモジュール１００の液晶パネル１で、ＢＭ２４の寸法Ｌ１，Ｌ２，Ｌ３は、例えば、円周方向Ｄ２における液晶パネル１の図示左端部にて混色の発生を防止するために必要とされるＢＭ２４の寸法と同じである。
【００７０】
液晶パネル１がこのような構成を有する場合においても、画素電極領域Ｚ２の位置ずれに起因する混色は発生しないことは言うまでもない。
【００７１】
実施の形態１と同様の部分については、同一の符号を付して詳細な説明を省略する。
【００７２】
（実施の形態３）
以上の記載においては、液晶パネル１及び光源５が湾曲しており、液晶パネル１では径方向Ｄ１において、ＣＦ基板２が外側であり、アクティブマトリクス基板４が内側である場合を例に挙げて説明したが、本発明はこれに限るものでない。
【００７３】
図５は実施の形態３に係るパネルモジュール１００の液晶パネル１の要部構成を概略的
に示す図である。実施の形態３に係るパネルモジュール１００の液晶パネル１では、ＣＦ基板２およびアクティブマトリクス基板４は、アクティブマトリクス基板４側に凸となるように湾曲している。すなわち、本実施の形態に係るパネルモジュール１００においては、液晶パネル１及び光源５が所定の曲率にて湾曲しており、径方向Ｄ１にて光源５が外側であり、液晶パネル１が内側である。また、液晶パネル１では、径方向Ｄ１において、ＣＦ基板２が内側であり、アクティブマトリクス基板４が外側である。本発明はこのような場合も適用可能である。
【００７４】
本実施の形態に係るパネルモジュール１００の液晶パネル１においては、ＣＦ基板２がずれる問題が生じる。換言すれば、相対的に画素電極領域Ｚ２がずれる問題が生じる。
【００７５】
詳しくは、アクティブマトリクス基板４側に凸となるように、ＣＦ基板２及びアクティブマトリクス基板４を湾曲させて互いに対向させているので、基板の厚さおよび液晶が注入される間隔（液晶層３の厚さ）の存在によって曲率半径の相違が生じる。このような曲率半径の相違によって、前記対向方向から見た場合のカラーフィルタ領域Ｚ１と画素電極領域Ｚ２との位置が、例えば、円周方向Ｄ２における液晶パネル１の中央部では一致するものの、液晶パネル１の両端付近では一致せずずれてしまう問題が生じる。
【００７６】
図６Ａ〜図６Ｃは、実施の形態３に係るパネルモジュール１００の液晶パネル１にて、図５における３箇所を拡大して表示した拡大図である。図６Ａは、図５において図示左側の端部を拡大して表示した拡大図であり、図６Ｂは、図５において円周方向Ｄ２の中央部Ｃを拡大して表示した拡大図であり、図６Ｃは、図５において図示右側の端部を拡大して表示した拡大図である。
【００７７】
ＣＦ基板２の中央部Ｃにおいては、カラーフィルタ領域Ｚ１と画素電極領域Ｚ２とが正対しており、径方向Ｄ１に対して、ＢＭ２４の位置と配線４３の位置とが一致している。
【００７８】
しかし、剰余部ＬＲにおいては、カラーフィルタ領域Ｚ１及び画素電極領域Ｚ２が正対しておらず、径方向Ｄ１に対してカラーフィルタ領域Ｚ１と画素電極領域Ｚ２とが一致していない。液晶パネル１において、中央部Ｃに対する図示左側のＬ部分では、円周方向Ｄ２における左端に向けてＣＦ基板２のカラーフィルタ領域Ｚ１がずれている。また、液晶パネル１において、中央部Ｃに対する図示右側のＲ部分では、円周方向Ｄ２における右端に向けてＣＦ基板２のカラーフィルタ領域Ｚ１がずれている。
【００７９】
すなわち、一の画素電極領域Ｚ２に対向すべきカラーフィルタ領域Ｚ１が位置ずれをおこし、斯かる画素電極領域Ｚ２の一部が該一のカラーフィルタ領域Ｚ１と隣り合う他のカラーフィルタ領域Ｚ１と径方向Ｄ１において対向している。以下においては、斯かる画素電極領域Ｚ２の一部をはみ出し部と言う。
【００８０】
一方、実施の形態１，２では、液晶パネル１においてアクティブマトリクス基板４の画素電極領域Ｚ２が、中央部Ｃに対して図示左側のＬ部分では円周方向Ｄ２における左端に向けてずれており（図２Ａ参照）、中央部Ｃに対して図示右側のＲ部分では円周方向Ｄ２における右端に向けてずれている（図２Ｃ参照）。この点において、本実施の形態に係るパネルモジュール１００の液晶パネル１は実施の形態１，２と異なる。
【００８１】
本実施の形態に係るパネルモジュール１００においても、剰余部ＬＲではカラーフィルタ領域Ｚ１の位置ずれが発生したことに起因して混色が生じるおそれがある。位置ずれに起因する混色の発生については既に説明しており、ここでは詳しい説明を省略する。しかし、本実施の形態に係るパネルモジュール１００においては、このような混色の問題が発生することを防止できるように構成されている。以下、詳しく説明する。
【００８２】
本実施の形態に係るパネルモジュール１００では、ＣＦ基板２の中央部Ｃと剰余部ＬＲとにおいて、ＣＦ基板２の剰余部ＬＲでのＢＭ２４の寸法が、中央部ＣでのＢＭ２４の寸法より広い。
【００８３】
ＢＭ２４は、円周方向Ｄ２において中央側の一端２４１と反対側の他端２４２間の間隔（すなわち第１方向における遮光部の幅）は一定でない。また、ＢＭ２４は、円周方向Ｄ２における一端２４１から他端２４２までの寸法Ｌが、ＣＦ基板２の中央部Ｃより、ＣＦ基板２の剰余部ＬＲの方が大きくなるように構成されている。
【００８４】
例えば、図６Ａに示す剰余部ＬＲ（図５のＬ部分）においては、ＢＭ２４は図示左側が他端２４２であり、図示右側が一端２４１である。また、図６Ｃに示す剰余部ＬＲ（図５のＲ部分）においては、ＢＭ２４は図示右側が他端２４２であり、図示左側が一端２４１である。また、図６Ａ及び図６Ｃの何れにおいても、一端２４１を一点鎖線で示している。更に、ＢＭ２４は、円周方向Ｄ２における一端２４１から他端２４２までの寸法Ｌが、ＣＦ基板２の中央部Ｃ（図６Ｂ）より、ＣＦ基板２の剰余部ＬＲ（図６Ａ及び図６Ｃ）の方で大きい。
【００８５】
このような構成を有することから、本実施の形態に係るパネルモジュール１００においては、剰余部ＬＲにて、上述したようにカラーフィルタ領域Ｚ１の位置ずれが発生した場合であっても混色が生じない。以下、図６Ａ（剰余部ＬＲにおけるＬ部分）を用いて詳しく説明する。
【００８６】
カラーフィルタ２３Ｇのカラーフィルタ領域Ｚ１が、正対すべき画素電極領域Ｚ２に対して、径方向Ｄ１に対して図示左側に位置ずれをおこし、カラーフィルタ２３Ｇのカラーフィルタ領域Ｚ１と対向すべき画素電極領域Ｚ２の一部がカラーフィルタ２３Ｂのカラーフィルタ領域Ｚ１の一部とも対向することになる。この状態にて、アクティブマトリクス基板４に対して略垂直に入った光は、当該画素電極領域Ｚ２及び液晶層３を通過してＣＦ基板２に入る。しかし、当該カラーフィルタ領域Ｚ１がずれているので、斯かる光はカラーフィルタ２３Ｇ及びカラーフィルタ２３Ｂのカラーフィルタ領域Ｚ１に跨って入る。
【００８７】
しかし、本実施の形態に係るパネルモジュール１００では、剰余部ＬＲにおけるＢＭ２４の円周方向Ｄ２における寸法Ｌが、ＣＦ基板２の中央部Ｃより大きい。従って、画素電極領域Ｚ２の図示右側のはみ出し部Ｚ４は、円周方向Ｄ２において他端２４２を含む部分（ＢＭ２４の中央側の一端２４１から他端２４２までの部分）の位置と略一致し、径方向Ｄ１において他端２４２を含む部分と対向するようになる。その結果、光がカラーフィルタ２３Ｇ及びカラーフィルタ２３Ｂのカラーフィルタ領域Ｚ１に跨って入ったとしても、カラーフィルタ２３Ｂのカラーフィルタ領域Ｚ１に入った光はＢＭ２４の他端２４２を含む部分によって遮蔽される。すなわち、カラーフィルタ２３Ｇを有するＧ画素の表示に、カラーフィルタ２３Ｂを透過した光が含まれることはなく、混色は生じない。
【００８８】
剰余部ＬＲにおけるＲ部分については、図６Ｃを用いて詳しく説明する。
【００８９】
カラーフィルタ２３Ｇのカラーフィルタ領域Ｚ１が、正対すべき画素電極領域Ｚ２に対して、径方向Ｄ１に対して図示右側に位置ずれをおこし、カラーフィルタ２３Ｇのカラーフィルタ領域Ｚ１と対向すべき画素電極領域Ｚ２の一部がカラーフィルタ２３Ｒのカラーフィルタ領域Ｚ１の一部とも対向することになる。この状態にて、光はカラーフィルタ２３Ｇ及びカラーフィルタ２３Ｒのカラーフィルタ領域Ｚ１に跨って入る。
【００９０】
しかし、本実施の形態に係るパネルモジュール１００では、剰余部ＬＲにおけるＢＭ２
４の円周方向Ｄ２における寸法Ｌが、ＣＦ基板２の中央部Ｃより大きい。従って、画素電極領域Ｚ２の図示左側のはみ出し部Ｚ４は、円周方向Ｄ２において他端２４２を含む部分（ＢＭ２４の中央側の一端２４１から他端２４２までの部分）の位置と略一致し、径方向Ｄ１において他端２４２を含む部分と対向するようになる。その結果、光がカラーフィルタ２３Ｇ及びカラーフィルタ２３Ｒのカラーフィルタ領域Ｚ１に跨って入ったとしても、カラーフィルタ２３Ｒのカラーフィルタ領域Ｚ１に入った光はＢＭ２４の他端２４２を含む部分によって遮蔽される。すなわち、カラーフィルタ２３Ｇを有するＧ画素の表示に、カラーフィルタ２３Ｒを透過した光が含まれることはなく、混色は生じない。
【００９１】
一方、図６Ｂに示しているように、中央部Ｃでは上述したカラーフィルタ領域Ｚ１の位置ずれが生じないので、はみ出し部も存在せず、円周方向Ｄ２におけるＢＭ２４の寸法Ｌが、ＣＦ基板２の剰余部ＬＲより小さいものの、混色という問題は発生しない。
【００９２】
また、本発明は以上の記載に限るものでない。実施の形態２のように、円周方向Ｄ２におけるＢＭ２４の寸法Ｌが、円周方向Ｄ２における液晶パネル１（ＣＦ基板２）上の位置によって異なるように構成しても良い。
【００９３】
図７Ａ〜図７Ｃは、実施の形態３の変形例に係るパネルモジュール１００の液晶パネル１にて、図５における３箇所を拡大して表示した拡大図である。図７Ａは、図５において図示左側の端部を拡大して表示した拡大図であり、図７Ｂは、図５において、円周方向Ｄ２における図示左側の端部と中央との中間部を拡大して表示した拡大図であり、図７Ｃは、図５において円周方向Ｄ２の中央部Ｃを拡大して表示した拡大図である。
【００９４】
図７Ａ及び図７Ｂにおいて、円周方向Ｄ２における液晶パネル１の図示左端に向けてカラーフィルタ領域Ｚ１がずれている。また、円周方向Ｄ２にて、液晶パネル１の図示左端に近い程、すなわち、中央から遠い程、カラーフィルタ領域Ｚ１がずれる量が多いことが分かる。
【００９５】
以上のことに対応して、本変形例に係るパネルモジュール１００の液晶パネル１では、ＣＦ基板２の中央部Ｃ及び剰余部ＬＲにて、円周方向Ｄ２におけるＢＭ２４の一端２４１から他端２４２までの寸法が、円周方向Ｄ２にて液晶パネル１（ＣＦ基板２）の中央から遠くなることにつれて大きくなるように構成されている。
【００９６】
すなわち、液晶パネル１では、図７Ａに係る部分と、図７Ｂに係る部分と、図７Ｃに係る部分とが、円周方向Ｄ２にてこの順に中央から遠い。また、図７Ａに係るＢＭ２４の寸法Ｌ１と、図７Ｂに係るＢＭ２４の寸法Ｌ２と、図７Ｃに係るＢＭ２４の寸法Ｌ３とは、Ｌ１＞Ｌ２＞Ｌ３の関係を有する。
【００９７】
従って、本変形例に係るパネルモジュール１００の液晶パネル１においては、中央部Ｃ及び剰余部ＬＲの両方にて、上述したようにカラーフィルタ領域Ｚ１の位置ずれが発生した場合であっても混色が生じない。詳細な作用及び効果については実施の形態１にて既に説明しており、ここでは詳しい説明を省略する。
【００９８】
また、本発明は以上の記載に限るものでない。液晶パネル１（ＣＦ基板２）の剰余部ＬＲの範囲内でのみ、円周方向Ｄ２において、ＢＭ２４の一端２４１から他端２４２までの寸法が、液晶パネル１（ＣＦ基板２）の中央から遠くなることにつれて大きくなるように構成しても良い。
【００９９】
実施の形態１と同様の部分については、同一の符号を付して詳細な説明を省略する。
【０１００】
（実施の形態４）
実施の形態４に係るパネルモジュール１００の液晶パネル１においては、光源５が、液晶パネル１（ＣＦ基板２）の中央部Ｃより剰余部ＬＲに対して高い輝度の光を出射させるように構成されている。すなわち、パネルモジュール１００は、液晶パネル１と、液晶パネル１に向けて光を出射する複数の光源を有するバックライト装置５とを有し、複数の光源は、複数の端部画素に出射される光の輝度を、複数の中央画素に出射される光の輝度よりも高くすることができるように構成されている。以下、詳しく説明する。
【０１０１】
実施の形態１〜３の何れかに記載した構成を有することにより、パネルモジュール１００は、上述した画素電極領域Ｚ２の位置ずれが発生した場合であっても混色が生じない。
【０１０２】
しかし、実施の形態１〜３の何れかに記載のパネルモジュール１００において、円周方向Ｄ２におけるＢＭ２４の寸法ＬがＣＦ基板２の中央部ＣよりＣＦ基板２の剰余部ＬＲの方が大きいように構成されている場合、ＣＦ基板２の剰余部ＬＲのカラーフィルタ２３を通った光の輝度は、中央部Ｃのカラーフィルタ２３を通った光の輝度より相対的に低くなるおそれがある。実施の形態４に係るパネルモジュール１００の液晶パネル１は斯かる問題に対応できるように構成されている。
【０１０３】
なお、混色が生じるという問題は、画素電極に係る画素領域に対して光が略垂直に入る場合に発生しやすい。画素電極に係る画素領域に対して光が斜めに入る場合、例えば、画素領域に係る基板が湾曲しているのに対し、斯かる基板に光を出射させる光源が扁平な板状をなすような場合は寧ろ発生しにくい。
【０１０４】
図８は実施の形態４に係るパネルモジュール１００の液晶パネル１の光源５から出射される光の輝度を示す図である。図８に示すように、光源５は、液晶パネル１（ＣＦ基板２）の剰余部ＬＲに対して中央部Ｃより高い輝度の光を出射させる。
【０１０５】
図８のような輝度を得るためには、例えば、光源５において、液晶パネル１の剰余部ＬＲに光を照射する部分のＬＥＤ５１の数を、中央部Ｃに光を照射する部分のＬＥＤ５１の数より多くしてもよく、液晶パネル１の剰余部ＬＲに光を照射する部分に、中央部Ｃに光を照射する部分より高い輝度のＬＥＤ５１を用いるようにしても良い。
【０１０６】
本実施の形態に斯かる液晶パネル１においては、光源５が図８のような光源分布を有するので、中央部Ｃのカラーフィルタ２３を通る光より高い輝度の光が、ＣＦ基板２の剰余部ＬＲのカラーフィルタ２３を通ることとなる。従って、円周方向Ｄ２におけるＢＭ２４の寸法ＬがＣＦ基板２の中央部ＣよりＣＦ基板２の剰余部ＬＲの方が大きいことに伴う輝度の減少が補われ、液晶パネル１の全体において、均一な輝度の分布の画像が表示される。
【０１０７】
（実施の形態５）
実施の形態５に係るパネルモジュール１００の液晶パネル１においては、光源５が、液晶パネル１（ＣＦ基板２）の中央部Ｃより剰余部ＬＲに対して高い輝度の光を出射させ、かつ、液晶パネル１（ＣＦ基板２）の端部に近い程、順次的に高い輝度の光を出射するように構成されている。以下、詳しく説明する。
【０１０８】
実施の形態１〜３の何れかに記載した構成を有することにより、パネルモジュール１００は、上述した画素電極領域Ｚ２の位置ずれが発生した場合であっても混色が生じない。
【０１０９】
しかし、円周方向Ｄ２におけるＢＭ２４の寸法Ｌが、円周方向Ｄ２における液晶パネル１（ＣＦ基板２）の中央から遠くなることにつれて大きくなるような構成を有する場合、
ＣＦ基板２のカラーフィルタ２３を通った光の輝度は、液晶パネル１（ＣＦ基板２）の中央から遠くなることにつれて低くなるおそれがある。実施の形態５に係るパネルモジュール１００の液晶パネル１は斯かる問題に対応できるように構成されている。
【０１１０】
図９は実施の形態５に係るパネルモジュール１００の液晶パネル１の光源５から出射される光の輝度を示す図である。図９に示すように、光源５は、液晶パネル１（ＣＦ基板２）に対して、液晶パネル１の中央から遠くなることにつれて、すなわち、液晶パネル１の両端部に近づくことにつれて、順次的に高い輝度の光を出射させる。
【０１１１】
本実施の形態に係るパネルモジュール１００の液晶パネル１においては、光源５が図９のような光源分布を有するので、液晶パネル１の中央から遠くなることにつれてＣＦ基板２のカラーフィルタ２３には順次的に高い輝度の光が通過することとなる。従って、円周方向Ｄ２におけるＢＭ２４の寸法Ｌが、円周方向Ｄ２における液晶パネル１（ＣＦ基板２）の中央から遠くなることにつれて大きくなることに伴う輝度の減少が補われ、液晶パネル１の全体においては均一な輝度の分布の画像が表示される。
【０１１２】
本実施の形態に係るパネルモジュール１００の液晶パネル１は以上の記載に限るものでない。例えば、円周方向Ｄ２におけるＢＭ２４の寸法ＬがＣＦ基板２の中央部ＣよりＣＦ基板２の剰余部ＬＲの方が大きい構成を有する液晶パネル１の場合は、剰余部ＬＲの範囲内において、液晶パネル１の中央から遠くなることにつれて光源５が順次的に高い輝度の光を出射させるように構成しても良い。
【符号の説明】
【０１１３】
１  液晶パネル
２  ＣＦ基板（第１基板）
４  アクティブマトリクス基板（第２基板）
５  光源
２３  カラーフィルタ
２４  ＢＭ
１００  パネルモジュール
２４１  中央側部分
２４２  端部側部分
Ｃ  中央部
Ｄ１  径方向
Ｄ２  円周方向
ＬＲ  剰余部（端部）
Ｐ  点
【図１】
2020021029.tif 000003
【図２Ａ】
2020021029.tif 000004
【図２Ｂ】
2020021029.tif 000005
【図２Ｃ】
2020021029.tif 000006
【図３Ａ】
2020021029.tif 000007
【図３Ｂ】
2020021029.tif 000008
【図３Ｃ】
2020021029.tif 000009
【図４Ａ】
2020021029.tif 000010
【図４Ｂ】
2020021029.tif 000011
【図４Ｃ】
2020021029.tif 000012
【図５】
2020021029.tif 000013
【図６Ａ】
2020021029.tif 000014
【図６Ｂ】
2020021029.tif 000015
【図６Ｃ】
2020021029.tif 000016
【図７Ａ】
2020021029.tif 000017
【図７Ｂ】
2020021029.tif 000018
【図７Ｃ】
2020021029.tif 000019
【図８】
2020021029.tif 000020
【図９】
2020021029.tif 000021